(57)【要約】【課題】  必要に応じてレジスタなどの機器を回転させることが可能であると共に、機器へのデータ入力作業時などには機器の回転をロックすることができる回転装置を提供する。【解決手段】  台座部１１と、台座部１１に対して回転可能に取り付けられ、機器本体を支持する回転部３１とを有している。台座部１１と回転部３１との間には、両者の回転をロックする、ロックギア１３および係合ギア５７を有するロック部が設けられている。一方の操作ボタン４１を押し込むと、操作レバー３２および突起部５２を介して係合ギア５７が駆動され、ロックギア１３との係合が解除され、回転部３１の回転が可能となる。【選択図】        図３
2006221236.tif 000002
【特許請求の範囲】
【請求項１】
台座部と、台座部に対して回転可能に取り付けられ、機器本体を支持する回転部と、前記台座部と前記回転部との間に設けられた両者の回転をロックするロック部と、前記ロック部のロック状態と非ロック状態とを切り替える操作部と、前記操作部と前記ロック部との間に設けられた、前記操作部を操作した操作力を前記ロック部に伝達する伝達部とを備え、
前記操作部は二箇所以上に設けられると共に、前記操作部は前記回転部の回転方向に間隔をあけて配置されている、回転装置。
【請求項２】
いずれかの前記操作部を操作した操作力が、他の操作部には伝達されないように構成されている、請求項１に記載の回転装置。
【請求項３】
前記操作部および前記伝達部が、それぞれ第一の端部と第二の端部とを有する一対のアームにより構成され、
前記アームは、その中間部を支点にして傾動可能に取り付けられ、前記アームの第一の端部は前記操作部を構成し、前記アームの第二の端部にはその傾動方向に延びる長孔を有し、
前記ロック部は、前記ロック部を駆動する突起部を有し、該突起部は一対の前記アームの前記長孔に挿入され、
前記一方の前記アームを傾動させて前記突起部を駆動し、前記ロック部をロック状態から非ロック状態に切り替えるとき、前記突起部は他方の前記アームの前記長孔内を移動して他方のアームには接触しない、請求項１または２に記載の回転装置。
【請求項４】
台座部と、前記台座部に対して回転可能に取り付けられ、操作者がデータ入力を行なうための入力スイッチを備えた機器本体を支持する回転部と、前記台座部と前記回転部との間に設けられた両者の回転をロックするロック部と、前記ロック部のロック状態と非ロック状態とを切り替える操作部と、前記操作部と前記ロック部との間に設けられた、前記操作部を操作した操作力を前記ロック部に伝達する伝達部とを備えた、回転装置。
【発明の詳細な説明】
【技術分野】
【０００１】
この発明は、回転装置に関し、より詳しくは、レジスタ等の機器を回転可能に保持する回転装置に関する。
【背景技術】
【０００２】
従来から、レジスタなどの機器を回転可能に保持する回転装置が提案されている。たとえば、特許文献１（特開平８−２９３０６５号公報）には、その底部にターンテーブルを備えたレジスタが開示されている。このレジスタにおいては、ターンテーブルにより容易にレジスタの方向を転換することができる。また、この文献に開示されたターンテーブルには板バネで付勢した突起が設けられており、回転動作の所定位置でクリック感を生じながら回転させることができる。
【０００３】
この従来のターンテーブルを備えたレジスタによると、操作者が操作しやすい方向に向くようにレジスタを回転させることができるので、操作者は表示の確認などを容易に行なうことができる。
【特許文献１】特開平８−２９３０６５号公報
【発明の開示】
【発明が解決しようとする課題】
【０００４】
近年、レジスタなどでは、データ入力を行なうためにタッチパネルを採用したものが増加している。このタッチパネルは、従来のキーボードようなスイッチの押下方向に一定のストロークが存在するものと異なり、スイッチそのもののストロークが非常に小さいため、タッチパネルを押下する力が直接レジスタ本体に伝わりやすい。そのため、タッチパネルを備えたレジスタに、従来のようなターンテーブルを設けると、タッチパネルを押下する力によってレジスタ本体が回転してしまうという問題がある。
【０００５】
この発明は、上記課題を解決するためになされたものであり、必要に応じてレジスタなどの機器を回転させることが可能であると共に、機器へのデータ入力作業時などには回転をロックすることができる回転装置を提供することを目的とする。
【課題を解決するための手段】
【０００６】
この発明に基づいた回転装置のある局面に従えば、台座部と、台座部に対して回転可能に取り付けられ、機器本体を支持する回転部と、上記台座部と上記回転部との間に設けられた両者の回転をロックするロック部と、上記ロック部のロック状態と非ロック状態とを切り替える操作部と、上記操作部と上記ロック部との間に設けられた、上記操作部を操作した操作力を上記ロック部に伝達する伝達部とを備えている。上記操作部は二箇所以上に設けられると共に、上記操作部は上記回転部の回転方向に間隔をあけて配置されている。
【０００７】
この構成によると、台座部と回転部との回転をロックするロック部を設け、ロック部のロック状態と非ロック状態とを切り替える操作部を設けたので、操作部を操作してロック部をロックさせることで、台座部と回転部との回転をロックさせることができる。これにより、たとえば回転部に支持される機器を操作するときに、その操作力により機器が回転することを防止することができる。また、操作部が回転部の回転方向に間隔をあけて二箇所以上に配置されているので、操作者に対して機器が正対していない状態でも、操作部の操作が容易となる。
【０００８】
上記回転装置において、いずれかの上記操作部を操作した操作力が、他の操作部には伝達されないように構成してもよい。この場合には、不要な部分を動かさずに操作することができるので、小さい力で操作部を操作することができる。
【０００９】
また、上記回転装置において、上記操作部および上記伝達部を、それぞれ第一の端部と第二の端部とを有する一対のアームにより構成する。上記アームを、その中間部を支点にして傾動可能に取り付け、上記アームの第一の端部は上記操作部を構成し、上記アームの第二の端部にはその傾動方向に延びる長孔を設ける。上記ロック部は、上記ロック部を駆動する突起部を有し、該突起部を一対の上記アームの上記長孔に挿入する。上記一方の上記アームを傾動させて上記突起部を駆動し、上記ロック部をロック状態から非ロック状態に切り替えるとき、上記突起部は他方の上記アームの上記長孔内を移動して他方のアームには接触しないように構成してもよい。
【００１０】
この構成によると、一方のアームを操作したとき、ロック部を駆動する突起部は、他方のアームの長孔内を移動するので、一方のアームを操作した操作力が他方のアームに伝達されない。これにより、一方のアームを小さい操作力で操作することができる。
【００１１】
この発明に基づいた回転装置の他の局面に従えば、台座部と、上記台座部に対して回転可能に取り付けられ、操作者がデータ入力を行なうための入力スイッチを備えた機器本体を支持する回転部と、上記台座部と上記回転部との間に設けられた両者の回転をロックするロック部と、上記ロック部のロック状態と非ロック状態とを切り替える操作部と、上記操作部と上記ロック部との間に設けられた、上記操作部を操作した操作力を上記ロック部に伝達する伝達部とを備えている。
【００１２】
この構成によると、操作部によりロックを解除して機器を回転させることができる一方、ロック部により回転をロックしておくことで、機器へのデータ入力のために入力スイッチを操作しても機器がその操作力で回転することを防止することができる。
【発明の効果】
【００１３】
本発明に係る回転装置によると、必要に応じてレジスタなどの機器を回転させることが可能であると共に、機器へのデータ入力作業時などには回転をロックすることができる。
【発明を実施するための最良の形態】
【００１４】
以下、この発明に基づいた各実施の形態における回転装置の構造について、図を参照しながら説明する。なお、各実施の形態において、同一または相当箇所については同一の参照番号を付し、重複する説明は繰り返さないこととする。
【００１５】
（実施の形態１）
以下、本発明に係る実施の形態１について、図１から図８を参照して説明する。なお、図１は、本実施の形態の回転装置を備えたレジスタを示す斜視図であり、図２は、回転装置を示す分解斜視図であり、図３は、回転装置の主要部の構造を示す平面図であり、図４は、操作部の変形例を示す平面図であり、図５は、ロック状態のロック部を拡大して示す平面図であり、図６は、図５におけるVI−VI矢視断面図であり、図７は、非ロック状態のロック部を拡大して示す平面図であり、図８は、図７におけるVIII−VIII矢視断面図である。
【００１６】
本実施の形態の回転装置は、たとえば図１に示すようなレジスタ１が搭載され、このレジスタを回転自在とするものである。本実施の形態および後述の実施の形態の説明においては、回転装置に搭載する機器がレジスタの場合について説明するが、回転装置に搭載される機器はこれに限定されるものではない。
【００１７】
図１に示すように、レジスタ１は、キーボード３を備えたレジスタ本体２と、レジスタ本体２に対して傾斜して設けられた表示画面４を有している。キーボード３は、レジスタに情報を入力する入力スイッチである。キーボード３は、一定のストロークを有するスイッチであってもよいし、ほとんどストロークがないタッチパネルであってもよい。また、表示画面４にスイッチが表示され、そのスイッチに接触することで情報が入力されるようにしてもよい。
【００１８】
レジスタ本体２は台座部１１に対して回転可能に取り付けられている。レジスタ１を回転させる場合には、レジスタ本体２の前面に設けられた操作ボタン４１を押下してロックを解除しながらレジスタ１を回転させる。操作ボタン４１はレジスタ本体２の前面に二箇所設けられている。
【００１９】
次に、このレジスタ１に設けられた回転装置の構造について詳述する。図２に示すように、回転装置は、機器を設置する設置場所に載置される台座部１１と、レジスタ本体２の下部キャビネットを兼ねる、台座部１１に対して回転可能に取り付けられる回転部３１とを有している。
【００２０】
台座部１１はその中心部に上方に向かって突出する回転軸１２を有しており、この回転軸１２は、回転部３１まで貫通する。また、台座部１１の上面前方寄りには、ロックギア１３が設けられている。このロックギア１３は、台座部１１と回転部３１の回転をロックするロック部の一部を構成している。ロックギア１３は、外向きの複数の歯を有し、回転部３１の回転方向に湾曲しながら整列している。
【００２１】
台座部１１の上面には、金属板を成型してなる下部プレート１６が配設される。下部プレート１６の外周部近傍には、回転部３１の回転方向に湾曲しながら延びる長孔１７が設けられており、その側縁は上方に膨出するように成型されている。この長孔１７には、下方からビス１８が挿入され、そのビス頭は膨出部の内部に収まる。
【００２２】
下部プレート１６の上面には、回転時の滑りを良好にするための樹脂製の回転シート２０が配設される。回転シート２０にも、下部プレート１６の長孔１７に対応する位置に、長孔２１が設けられている。
【００２３】
回転シート２０の上面には金属製の上部プレート２５が設けられている。上部プレート２５に設けられたビス孔２６には、長孔１７および長孔２１を貫通したビス１８が螺合する。下部プレート１６、回転シート２０および上部プレート２５には、その中心に貫通孔が設けられており、この貫通孔を回転軸１２が貫通する。
【００２４】
回転部３１の下面には、図２および図３に示すような、金属などで構成された、左操作レバー３２ａと右操作レバー３２ｂが設けられている。左操作レバー３２ａおよび右操作レバー３２ｂは、その中間部を支点３３にして傾動可能に取り付けられている。左操作レバー３２ａおよび右操作レバー３２ｂの外側端部には操作ボタン４１が取り付けられている。この操作ボタン４１はレジスタ本体２の前面の開口から露出する。この操作ボタン４１は、図４に示すように、レジスタ本体２の側面に設けた開口から露出させるようにしてもよい。
【００２５】
左操作レバー３２ａおよび右操作レバー３２ｂの内側端部には、操作レバー３２の傾動方向に延びる長孔３４ａおよび３４ｂがそれぞれ設けられている。長孔３４には、ロック部を構成する係止具５１の上方から突出する軸状の突起部５２が挿入される。また、係止具５１は固定具４２およびビス４３により回転部３１の下面に固定される。係止具５１は、ばね４４により回転中心の方向に付勢され、操作レバー３２は、バネ４６により操作ボタン４１が手前方向に位置するように付勢されている。
【００２６】
操作レバー３２、係止具５１の動作について図５から図８を参照して説明する。操作ボタン４１を操作しない状態においては、バネ４６（図３参照）に付勢されて、操作レバー３２は図５に示すような状態となる。このとき係止具５１は、バネ４４により回転中心方向に付勢されている。バネ４４は、係止具５１の先端部に設けられた立ち上げ片５３にその一端が当接し、回転部３１の下面から垂下した当接片３５にその他端が当接している。またバネ４４は係止具５１の上面に設けられた一対の側壁５４に挟まれた空間に配設されており、係止具５１から脱落しないように構成されている。
【００２７】
係止具５１の下面には、ロックギア１３と係合する係合ギア５７が設けられている。図５はロック状態を示しており、この状態においては、バネ４４の付勢力によりロックギア１３と係合ギア５７とが係合して、台座部１１と回転部３１との回転がロックされている。
【００２８】
操作ボタン４１を押下し、操作レバー３２を傾動させると突起部５２が回転中心から離れる方向に駆動される。これにより係合していたロックギア１３と係合ギア５７とが離間して、ロック状態から非ロック状態に切り替わる。操作ボタン４１を押下し続けて非ロック状態を維持しながらレジスタ１を回転させることで、レジスタ１の方向を変えることができる。操作ボタン４１の押下をやめると、バネ４４に付勢されて係止具５１が回転中心の方向に移動し、再びロック部はロック状態となる。
【００２９】
本実施の形態では、操作ボタン４１を押しつづけている間のみ非ロック状態を維持するように構成している。これを、操作ボタン４１を押下すると非ロック状態に切り替わり、操作ボタン４１を解放しても非ロック状態を維持し、再度操作ボタン４１を押下したときにロック状態に切り替わるように構成してもよい。
【００３０】
右操作レバー３２ａを操作して突起部５２を駆動しても、突起部５２は左操作レバー３２ｂの長孔３４ｂ内を移動するだけであり、左操作レバー３２ｂには接触しない。これにより右操作レバー３２ａを操作する操作力は左操作レバー３２ｂには伝達されない。逆に左操作レバー３２ｂを操作した操作力も右操作レバー３２ａには伝達されない。その結果、操作レバー３２を操作した操作力は、係止具５１にのみ伝達されるので、小さい操作力でロック状態の切り替えを行なうことができる。
【００３１】
本実施の形態の回転装置においては、台座部１１と回転部３１との回転をロックするロック部を設け、ロック部のロック状態と非ロック状態とを切り替える操作ボタン４１を設けたので、操作ボタン４１を操作してロック部をロックさせて台座部１１と回転部３１との回転をロックすることができる。これにより、たとえば、回転部３１に支持されるレジスタ１に情報を入力するためにキーボード３を押下した場合でも、その操作力によりレジスタ１が回転することを防止することができる。特にキーボードがタッチパネルにより構成されている場合には、その操作力がレジスタ１に直接伝わりやすいが、その場合でもレジスタ１の回転を防止することができる。また、操作ボタン４１が回転部３１の回転方向に間隔をあけて二箇所に配置されているので、操作者に対して機器が正対してない状態でも操作ボタン４１の操作が容易となる。
【００３２】
また、本実施の形態では、一方の操作ボタン４１を操作しても他方の操作ボタン４１にはその操作力が伝わらないので、操作ボタン４１を小さい力で操作することができる。
【００３３】
（実施の形態２）
次に、実施の形態２の回転装置について、図９および図１０を参照して説明する。図９はロック状態における回転装置を示す平面図、図１０は非ロック状態における回転装置を示す平面図である。
【００３４】
図示しない台座部に連結された円盤６１が回転部３１の上面側に位置している。この円盤６１の外周面にベルト６２が半周に亙って巻きつけられている。このベルト６２の両端部は、回転部３１の前面両側に設けられた操作ボタン４１にそれぞれ連結されている。操作ボタン４１はバネ６３により張力が付与されている。操作ボタン４１を押下しない状態においては、バネ６３の張力によりベルト６２が円盤６１に密着して、円盤６１と回転部３１との回転がロックされる。これにより台座部１１と回転部３１の回転もロックされる。
【００３５】
操作ボタン４１を押下してバネ６３を縮め、ベルト６２の張力を解放すると、図１０に示すように、円盤６１とベルト６２との間に隙間が形成される。これにより、円盤６１の外周をベルト６２が摺動可能となり、回転部３１が台座部に対して回転可能となる。操作ボタン４１の押下をやめると、バネ６３の付勢力により再びロック状態となる。
【００３６】
本実施の形態においては、比較的単純な構成でロック状態と非ロック状態との切り替えが可能な回転装置を構成することができる。本実施の形態の回転装置においても、操作ボタン４１を回転方向に間隔をあけて二箇所に設けたので、回転部３１が操作者に対して正対していない場合でもその操作が容易である。
【００３７】
（実施の形態３）
次に、実施の形態３の回転装置について、図１１から図１３を参照しながら説明する。図１１は、本実施の形態のロック装置の平面図であり、図１２は、ロック状態のロック部を示す拡大図、図１３は、非ロック状態のロック部を示す拡大図である。
【００３８】
本実施の形態の回転装置は、図１１に示すように、図示しない台座部に連結された、扇形の制動板７１を有している。回転部３１には、ロック部を構成する挟持具７２が固定されており、制動板７１を挟持して回転部３１の回転をロックしている。
【００３９】
挟持具７２は、連結片８０により連結された一対の屈曲片７４ａ，７４ｂを有し、この屈曲片７４ａ，７４ｂはバネ７３により閉じる方向に付勢されている。屈曲片７４ａ，７４ｂにはそれぞれ、剛性の高いチューブ７６に挿通されたワイヤ７５ａ，７５ｂが接続されている。ワイヤ７５ａおよびワイヤ７５ｂは一方の屈曲片を貫通して他方の屈曲片に接続されている。これにより、ワイヤ７５ａまたはワイヤ７５ｂに張力が加わると、図１３に示すように、バネ７３に付勢されている一対の屈曲片７４ａ，７４ｂが開く方向に駆動される。
【００４０】
また回転部３１には、間隔をあけて二つの操作ボタン４１が設けられている。操作ボタン４１には、支点７７を支点として傾動可能なレバー７８の一端が接続されている。レバー７８の他端にはワイヤ７５の端部が接続されている。操作ボタン４１は、板バネ７９により手前側に常時付勢されている。
【００４１】
板バネ７９の付勢力に抗して操作ボタン４１を押し込むと、レバー７８が傾動して他端に接続されたワイヤ７５に張力が加わる。図１３では、ワイヤ７５ａに張力が加わった状態を示しているが、この張力により挟持具７２が開いた状態となり、制動板７１が解放される。これによりロック部は非ロック状態となり、回転部３１は回転可能となる。操作ボタン４１から手を離すと、バネ７３の付勢力によりロック部は再びロック状態となる。
【００４２】
本実施の形態でも、機器正面の両隅の二箇所に操作ボタン４１を設けたので、回転部３１が操作者に正対していない場合でもその操作が容易である。また、本実施の形態においては、挟持具７２に接続するワイヤ７５を追加することで容易に操作ボタン４１を増設することができる。操作ボタン４１を三箇所以上に設ける場合には、操作ボタン４１の操作がさらに容易となる。
【００４３】
（実施の形態４）
次に、実施の形態４について、図１４から図１６を参照して説明する。図１４は、本実施の形態の回転装置を備えたレジスタを示す斜視図であり、図１５は回転装置を示す平面図であり、図１６は、ロック部の構造を示す平面図である。
【００４４】
本実施の形態では、上記実施の形態とは異なり、レジスタ１の正面中央部の一箇所にのみ操作ボタン４１を設けている。操作ボタン４１は、係止具５１の端部に接続されており操作ボタン４１に加わった操作力は、係止具５１の端部付近を介して係合ギア５７に伝達される。
【００４５】
係止具５１の下面には外向きの係合ギア５７が設けられている。台座部１１には、係合ギア５７に対応して、内向きのロックギア１３が設けられている。係止具５１は、固定具４２および図示しないビスにより、回転部３１の下面に取り付けられている。
【００４６】
係止具５１は、バネ４４により外向きに付勢されており、操作ボタン４１を操作しない状態においては、外向きの係合ギア５７と内向きのロックギア１３とが係合して、回転部３１の回転をロックしている。図１６に示すように、操作ボタン４１を押し込むと、係合ギア５７とロックギア１３との係合が解除され、回転部３１が回転可能な非ロック状態となる。
【００４７】
本実施の形態の回転装置によると、少ない部品数でロック状態と非ロック状態とを切り替えることができる回転装置を実現することができる。
【００４８】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００４９】
【図１】この発明に基づいた実施の形態１における回転装置を備えたレジスタを示す斜視図である。
【図２】この発明に基づいた実施の形態１における回転装置を示す分解斜視図である。
【図３】この発明に基づいた実施の形態１における回転装置の主要部の構造を示す平面図である。
【図４】この発明に基づいた実施の形態１における操作部の変形例を示す平面図である。
【図５】この発明に基づいた実施の形態１におけるロック状態のロック部を拡大して示す平面図である。
【図６】この発明に基づいた実施の形態１におけるロック部の、図５におけるVI−VI矢視断面図である。
【図７】この発明に基づいた実施の形態１における非ロック状態のロック部を拡大して示す平面図である。
【図８】この発明に基づいた実施の形態１におけるロック部の、図７におけるVIII−VIII矢視断面図である。
【図９】この発明に基づいた実施の形態２におけるロック状態の回転装置を示す平面図である。
【図１０】この発明に基づいた実施の形態２における非ロック状態における回転装置を示す平面図である。
【図１１】この発明に基づいた実施の形態３におけるロック装置の平面図である。
【図１２】この発明に基づいた実施の形態３におけるロック状態のロック部を示す拡大図である。
【図１３】この発明に基づいた実施の形態３における非ロック状態のロック部を示す拡大図である。
【図１４】この発明に基づいた実施の形態４における回転装置を備えたレジスタを示す斜視図である。
【図１５】この発明に基づいた実施の形態４における回転装置を示す平面図である。
【図１６】この発明に基づいた実施の形態４におけるロック部の構造を示す拡大図である。
【符号の説明】
【００５０】
１  レジスタ、３  キーボード、１１  台座部、１３  ロックギア、３１  回転部、３２  操作レバー、３３  支点、３４  長孔、４１  操作ボタン、５１  係止具、５２  突起部、５７  係合ギア。
【図１】
2006221236.tif 000003
【図２】
2006221236.tif 000004
【図３】
2006221236.tif 000005
【図４】
2006221236.tif 000006
【図５】
2006221236.tif 000007
【図６】
2006221236.tif 000008
【図７】
2006221236.tif 000009
【図８】
2006221236.tif 000010
【図９】
2006221236.tif 000011
【図１０】
2006221236.tif 000012
【図１１】
2006221236.tif 000013
【図１２】
2006221236.tif 000014
【図１３】
2006221236.tif 000015
【図１４】
2006221236.tif 000016
【図１５】
2006221236.tif 000017
【図１６】
2006221236.tif 000018